(57)【要約】【課題】  複数の視聴者の相関に応じて適切と思われるコンテンツの番組を推薦することができるテレビジョン受信装置を提供する。【解決手段】  相関記憶部は、視聴者間の相関を示す相関データを記憶する。視聴者検出部は、視聴している視聴者を検出する。相関検出手段は、視聴している視聴者間の相関を、前記相関記憶部からの相関データから得る。番組評価部は、前記相関検出手段により検出された相関に応じて番組を評価し評価値を演算する。提示手段は、前記番組評価部により評価された評価値の高い番組リストを視聴者に提示する。【選択図】      図１
2008219182.tif 000002
【特許請求の範囲】
【請求項１】
視聴者間の相関を示す相関データを記憶する相関記憶部と、
視聴している視聴者を検出する視聴者検出部と、
前記視聴している視聴者間の相関を、前記相関記憶部からの相関データから得る相関検出手段と、
前記相関検出手段により検出された相関に応じて番組を評価し評価値を演算する番組評価部と、
前記番組評価部により評価された評価値の高い番組リストを視聴者に提示する提示手段とを備えたことを特徴とするテレビジョン受信装置。
【請求項２】
前記番組評価部は、相関毎に設けられたキーワードおよび当該キーワードに割り当てられた重み付け係数と、各番組の番組関連情報とを用いて番組を評価し評価値を演算することを特徴とする請求項１記載のテレビジョン受信装置。
【請求項３】
前記提示手段は、前記評価値の高い番組を選択可能な前記番組リストを表示することを特徴とする請求項１または２記載のテレビジョン受信装置。
【請求項４】
更に、視聴者別に視聴履歴を記憶する視聴履歴記憶手段と、
前記視聴履歴から視聴者別に嗜好を抽出する嗜好抽出手段とを備え、
前記番組評価部は、相関に応じて番組を評価すると共に、更に前記視聴している視聴者の嗜好にも基づいて評価値を演算することを特徴とする請求項１乃至請求項３のいずれか１項に記載のテレビジョン受信装置。
【請求項５】
相関記憶部により、視聴者間の相関を示す相関データを記憶し、
視聴者検出部により、視聴している視聴者を検出し、
相関検出手段により、前記視聴している視聴者間の相関を、前記相関記憶部からの相関データから得、
番組評価部により、前記相関検出手段により検出された相関に応じて番組を評価し評価値を演算し、
前記番組評価部により評価された評価値の高い番組リストを視聴者に提示することを特徴とするテレビジョン受信方法。
【発明の詳細な説明】
【技術分野】
【０００１】
この発明は、テレビジョン受信装置および方法に関し、特に適切と思われるコンテンツの番組を推薦することが可能なテレビジョン受信装置および方法に関する。
【背景技術】
【０００２】
従来、視聴者の特徴情報量をパラメータ化し、複数の視聴者の特定と複数の嗜好情報との合成に基づいて適切と思われるコンテンツの番組を推薦するテレビジョン受信装置が知られている（例えば、特許文献１参照）。
【０００３】
しかし、従来のテレビジョン受信装置は、複数の視聴者の相関に応じて適切と思われるコンテンツの番組を推薦することはできなかった。
【特許文献１】特開２００５−２３６３５４号公報
【発明の開示】
【発明が解決しようとする課題】
【０００４】
このように従来のテレビジョン受信装置においては、複数の視聴者の相関に応じて適切と思われるコンテンツの番組を推薦することはできないという問題があった。
この発明は、複数の視聴者の相関に応じて適切と思われるコンテンツの番組を推薦することができるテレビジョン受信装置を提供することを目的とする。
【課題を解決するための手段】
【０００５】
上記の目的を達成するために、この発明においては、視聴者間の相関を示す相関データを記憶する相関記憶部と、視聴している視聴者を検出する視聴者検出部と、前記視聴している視聴者間の相関を、前記相関記憶部からの相関データから得る相関検出手段と、前記相関検出手段により検出された相関に応じて番組を評価し評価値を演算する番組評価部と、前記番組評価部により評価された評価値の高い番組リストを視聴者に提示する提示手段とを備えたことを特徴とするテレビジョン受信装置を提供する。
【０００６】
また、上記の目的を達成するために、この発明においては、相関記憶部により、視聴者間の相関を示す相関データを記憶し、視聴者検出部により、視聴している視聴者を検出し、相関検出手段により、前記視聴している視聴者間の相関を、前記相関記憶部からの相関データから得、番組評価部により、前記相関検出手段により検出された相関に応じて番組を評価し評価値を演算し、前記番組評価部により評価された評価値の高い番組リストを視聴者に提示することを特徴とするテレビジョン受信方法を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、複数の視聴者の相関に応じて適切と思われるコンテンツの番組を推薦することができるテレビジョン受信装置を提供することができる。
【発明を実施するための最良の形態】
【０００９】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２０】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２７】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３２】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３３】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３５】
また、字幕放送による字幕を表示するとき、グラフィック処理部２５４は、制御部２６１からの制御による字幕情報に基づき、映像信号上に字幕情報を重畳する処理を行う。
【００３６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４０】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４１】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４２】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４３】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４４】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４５】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４６】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４７】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４８】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００４９】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５０】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５１】
［相関の登録］
本発明は、テレビに登録してある複数の視聴者の相関（関連、関係）情報を予め入力しておき、視聴している視聴者の相関（関連、関係）に応じて、お薦め番組を変化させる。
【００５２】
例えば、デジタルテレビジョン放送受信装置１１１に視聴者として、視聴者Ａ、視聴者Ｂ、視聴者Ｃ、視聴者Ｄの４人が登録されているものとする。視聴者Ａ、視聴者Ｂ、視聴者Ｃの３人の相関（関連、関係）は「家族」と登録される。視聴者Ｃ、視聴者Ｄの２人の関係は「恋人」と登録される。
【００５３】
この相関の登録は、例えば図３（ａ）に示す相関登録画面により、図４に示す登録フローチャートにより登録される。
ステップＳ４０１：ユーザは相関登録画面表示させる指示を、操作部１１６やリモートコントローラ１１７を操作することによりデジタルテレビジョン放送受信装置１１１に出すことで、図３（ａ）に示す相関登録画面を映像表示器１１４に表示する。
【００５４】
ステップＳ４０２：ユーザは、映像表示器１１４に表示された図３（ａ）の相関登録画面に対して図３（ｂ）に示す通り先に述べた通りの相関を入力する。
この結果、図３（ｂ）に基づく相関テーブルが不揮発性メモリ２６１ｃに記憶される。
［相関による番組の評価］
また、不揮発性メモリ２６１ｃには、予め相関に応じた重み付け係数が、例えば図５に示すように各相関に対してキーワードと重み付けが予め記憶されている。
例えば相関が「家族」の場合には、番組詳細データ中に「旅行」や「グルメ」等のキーワード、および各キーワードに対する重み付け係数が含まれており、これらのキーワードがより多く含まれているものが、よりお薦め度の高い番組であるとして各番組が評価される。例えば、図４に示す例では、番組詳細データ中に、「旅行」と「グルメ」が各１回出現する番組の場合には、５．０＋４．０＝総評価９．０とし、「旅行」が１回出現する番組の場合には、総評価５．０として評価する。デジタルテレビジョン放送受信装置１１１は、この総評価値の高い番組をお薦め番組としてお薦めする。
【００５５】
この結果、家族向けとなる例えば番組詳細データ中に「旅行」や「グルメ」等の番組がお薦め番組として推薦される。
本実施の形態では、各相関に対数キーワードと重み付け係数は、適切と考えられるものが工場出荷時に決められているが、これらの値をユーザが編集できるようにしてもよい。これにより、ユーザが自分の好みにカスタマイズすることが出来るようになる。
【００５６】
［相関による番組の推薦］
上記のように登録されているとき、ユーザへのお薦め番組の提示方法について図６を用いて説明する。
図６は、ユーザへのお薦め番組の提示方法を説明するための図である。
ステップＳ６０１：デジタルテレビジョン放送受信装置１１１は、現在の視聴者が誰なのかを判定する。この判定方法としては周知の技術を用いればよく、例えば特開２００５−２３６３５４号公報に記載の方法で判定してもよい。また、例えば視聴者毎に割り当てられているリモートコントローラ１１７に設けられた所定のボタンを押すことによって、現在、視聴している視聴者が誰であるかをデジタルテレビジョン放送受信装置１１１に通知するようにしてもよい。
【００５７】
ステップＳ６０２：現在の視聴者を検出した結果に基づき、不揮発性メモリ２６１ｃに記憶されている図３（ｂ）に基づく相関テーブルを用いて視聴者の相関を判定する。例えば、現在の視聴者を検出した結果、視聴者Ａ、視聴者Ｂ、視聴者Ｃの３人が視聴者である場合、この３人は図３（ｂ）に基づく相関テーブルでは「家族」の相関があることを得る。
【００５８】
ステップＳ６０３：デジタルテレビジョン放送受信装置１１１では、現在の視聴者が「家族」の相関である場合、例えば、図４に示す例では、番組詳細データ中に、「旅行」と「グルメ」が各１回出現する番組の場合には、５．０＋４．０＝総評価値９．０とし、「旅行」が１回出現する番組の場合には、総評価値５．０として評価する。この結果、家族向けとなる例えば番組詳細データ中に「旅行」や「グルメ」等の番組がお薦め番組として推薦される。
【００５９】
なお、お薦め番組として推薦（ユーザへ提示）するタイミングとしては、リモートコントローラ１１７に設けられた“お薦め番組ボタン”を押下したときに、図７に示すようにお薦め番組を総評価値共にランキング形式で推薦（ユーザへ提示）するようにしてもよい。
【００６０】
また、総評価値が所定値、例えば４．０以上のお薦め番組が開始となる５分前に、図７（ａ）に示すようにお薦め番組リストとして表示してもよい。
また、視聴者Ａ、視聴者Ｂの関係が「恋人」であれば、アミューズメントやデートスポットなどのお薦め番組を優先して表示することができる。
また、例えば、現在の視聴者を検出した結果、視聴者Ａ、視聴者Ｂ、視聴者Ｃ、視聴者Ｄの４人が視聴者である場合、視聴者Ａ、視聴者Ｂ、視聴者Ｃの３人で「家族」の相関があり、更に視聴者Ｃ、視聴者Ｄの２人で「恋人」の相関があることとなる。
【００６１】
このような場合、「家族」の相関、「恋人」の相関で個々に総評価値を求め、図７（ｂ）に示すように総評価値の高い順にお薦め番組として推薦（ユーザへ提示）するようにしてもよい。これにより、複数の相関に基づいたお薦め番組を推薦（ユーザへ提示）することができる。
【００６２】
また、このような場合、「家族」の相関、「恋人」の相関を用いたお薦め番組の推薦（ユーザへ提示）は、しないようにしてもよい。
図７（ａ）や（ｂ）の画面を表示したタイミングでは、図に示すようにカーソルは一番総評価値が高いものにあてられている。このときリモートコントローラ１１７に設けられえている上下キーでカーソルを上下に動かし、決定キーを押下することにより、チャンネルを切り替えや視聴予約をすることができるようにしても良い。
【００６３】
以上説明したとおり、この発明によれば、複数の視聴者の相関に応じて適切と思われるコンテンツの番組を推薦することができるテレビジョン受信装置を提供することができる。
【００６４】
上記実施形態の変形例としては、更に、個人の視聴履歴による番組推薦を組み合わせるようにしたものである。個人の視聴履歴による番組推薦方法としては、例えば特開２００５−２３６３５４号公報、特開２００５−３１００９４号公報、特開２００６−４１６６８号公報、特開２００６−２１７１２４号公報等に記載の方法を用いればよい。そして相関による評価値と、個人の視聴履歴による評価値とを総合した総評価値を各番組に対して得て、総評価値の高い順にお薦め番組として推薦（ユーザへ提示）すればよい。
【００６５】
例えば、視聴者別に視聴履歴を記憶する視聴履歴記憶手段と、前記視聴履歴から視聴者別に嗜好を抽出する嗜好抽出手段とを備え、前記番組評価部は、相関に応じて番組を評価すると共に、更に前記視聴している視聴者の嗜好にも基づいて評価値を演算させるようにする。
【００６６】
このようにすることにより、更に、個人の視聴履歴にも基づいたお薦め番組の推薦を受けることができる。
【図面の簡単な説明】
【００６７】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】相関登録画面を説明するための図。
【図４】番組の評価例を説明するための図。
【図５】相関に対するキーワードと重み付けを示す図。
【図６】ユーザへのお薦め番組の提示方法を説明するための図。
【図７】お薦め番組リストの提示例を示す図。
【符号の説明】
【００６８】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008219182.tif 000003
【図２】
2008219182.tif 000004
【図３】
2008219182.tif 000005
【図４】
2008219182.tif 000006
【図５】
2008219182.tif 000007
【図６】
2008219182.tif 000008
【図７】
2008219182.tif 000009